(57)【要約】【課題】キウイの切断面が押し当てられ回転させられるキウイ絞り器であって、その回転に必要な力を弱くし、果肉及び果汁を効率良く絞り出し、繊維の目詰まりを防ぎ、果肉の絞り残しを減らす。【解決手段】キウイ絞り器１の突起部２は、ドーム形状部分２１と、その裾部２１ａから円錐状とされた円錐形状部分２２とにより構成され、突起部２の外面に複数のリブ２３を有する。円錐形状部分２２のリブ２３ｃ、２３ｄと、ドーム形状部分２１において高い方のリブ２３ａによって効率よくキウイの果肉を掻き出すことができ、調理時間の短縮を図ると共に、調理の楽しさを提供することができる。また、ドーム形状部分２１における低い方のリブ２３ｂによって、キウイの繊維によるリブ２３の目詰まりを抑制する。【選択図】図１
2012239847.tif 000002
【特許請求の範囲】
【請求項１】
キウイの切断面が押し当てられて回転させられるときにキウイから果肉及び果汁を絞り出す突起部を備えたキウイ絞り器であって、
前記突起部は、ドーム形状部分と、該ドーム形状部分の裾部から円錐状とされた円錐形状部分とにより構成され、かつ、該突起部の外面にドーム形状部分の頂部から裾部、さらに円錐形状部分に放射状に延びる複数のリブを有し、
前記円錐形状部分において、各リブの高さが同じであると共に、
前記ドーム形状部分において、隣り合うリブの高さが互いに異なり、かつ該ドーム形状部分において高い方のリブの高さが前記円錐形状部分のリブの高さと同じであることを特徴とするキウイ絞り器。
【請求項２】
前記ドーム形状部分の頂部における前記各リブが前記円錐形状部分における前記各リブより厚いことを特徴とする請求項１に記載のキウイ絞り器。
【請求項３】
前記ドーム形状部分において低い方のリブは、該ドーム形状部分の頂部の手前で消滅することを特徴とする請求項１又は請求項２に記載のキウイ絞り器。
【請求項４】
前記ドーム形状部分におけるリブの高さが前記円錐形状部分のリブの高さと同じである第１リブと、前記ドーム形状部分におけるリブの高さが前記第１リブより低い第２リブと、前記ドーム形状部分におけるリブの高さが前記第２リブよりさらに低い第３リブを有し
前記第１リブ、第３リブ、第２リブ、第３リブの順に、キウイの回転方向に並べて配列されていることを特徴とする請求項１又は請求項２に記載のキウイ絞り器。
【請求項５】
前記第１リブと前記第２リブとは、前記ドーム形状部分の頂部において互いに結合され、
前記第３リブは、前記円錐形状部分から前記頂部に向かって低くなり、該頂部の手前で消滅することを特徴とする請求項４に記載のキウイ絞り器。
【請求項６】
前記突起部は、隣り合うリブの中間部において、前記ドーム形状部分から前記円錐形状部分にかけて、谷状に形成されていることを特徴とする請求項１乃至請求項５のいずれか一項に記載のキウイ絞り器。
【発明の詳細な説明】
【技術分野】
【０００１】
本発明は、キウイから果肉及び果汁を絞り出すためのキウイ絞り器に関する。
【背景技術】
【０００２】
従来から、柑橘類の果実の切断面が押圧されて回転させられるときにその果実から果汁を絞り出す突起部と、この突起部により絞り出された果汁を受ける受け皿とを備えた絞り器が知られている（例えば、特許文献１、２参照）。上記突起部は円錐形状であり、その外面には、円錐形状の頂部から裾部に向って放射線状に延びる複数のリブが形成されている。これらのリブは、その延伸方向に直交する断面形状が三角形である。この絞り器においては、果実が突起部に押し当てられて回転させられると、果実の砂じょう、すなわち、果肉の粒がリブにより押し潰され、これにより、砂じょうから果汁が絞り出される。
【０００３】
ところで、柑橘類ではなく、キウイから果肉及び果汁を絞り出して、例えば離乳食等に用いたいとの要望がある。そこで、上記絞り器を流用することが考えられる。しかしながら、キウイには柑橘類と比べて果肉が硬い個体があり、かつ、上記絞り器のリブの断面は三角形状であるので、キウイを突起部に押し当てても、果肉へのリブの咬み込みが弱い。従って、果肉を回転させても、リブが果肉に引っ掛かり難く、果肉が滑り易い。そのため、キウイを削り出し難く、果肉及び果汁を効率良く絞り出すことが難しい。
【０００４】
そこで、果肉へのリブの咬み込みを向上させるため、リブを高くすることが考えられる。そのようにした絞り器を図１５に示す。この絞り器１００は、突起部１０１の隣り合うリブ１０２間が逆Ｕ字状に凹んで成る凹部１０３を有する。
【０００５】
しかしながら、上記絞り器１００においては、リブ１０２が高いので、果肉へのリブ１０２の咬み込みが向上するが、キウイを回転させるときの回転抵抗が強くなり、従って、キウイを回転させるために強い力が必要となり、果肉及び果汁を効率良く絞り出し難い。また、キウイは元々、果汁が少ないため、リブ１０２により削られた果肉がリブ１０２間に溜まり易い。しかも、リブ１０２間には凹部１０３が形成されているので、さらに果肉がリブ１０２間に溜まり易い。その結果、使用中に、溜まった果肉がキウイを内側から押し、外皮を破裂させる虞がある。また、突起部１０１は円錐形状なので、キウイの形状に合わず、果肉の絞り残しが生じることがある。
【０００６】
また、上記特許文献１、２とは別に柑橘類の絞り器として、断面が矩形のリブを用いる技術が知られている（例えば、特許文献３参照）。しかしながら、この絞り器をキウイに適用した場合、外皮の破れや果肉の絞り残し等が予想され、単に絞る対象をキウイに適用するのみでは、実用に足りる程度に十分な機能が得られない。
【先行技術文献】
【特許文献】
【０００７】
【特許文献１】実開昭５６−１３６６１１号公報
【特許文献２】実開昭５６−４５１９号公報
【特許文献３】米国特許第５５７０６２９号明細書
【発明の概要】
【発明が解決しようとする課題】
【０００８】
本発明は、上記の従来の問題を解決するためになされたものであり、ユーザが弱い力でもキウイを回転させて果肉及び果汁を効率良く絞り出すことができるキウイ絞り器を提供することを目的とする。
【課題を解決するための手段】
【０００９】
上記目的を達成するために本発明のキウイ絞り器は、キウイの切断面が押し当てられて回転させられるときにキウイから果肉及び果汁を絞り出す突起部を備えたキウイ絞り器であって、前記突起部は、ドーム形状部分と、該ドーム形状部分の裾部から円錐状とされた円錐形状部分とにより構成され、かつ、該突起部の外面にドーム形状部分の頂部から裾部、さらに円錐形状部分に放射状に延びる複数のリブを有し、前記円錐形状部分において、各リブの高さが同じであると共に、前記ドーム形状部分において、隣り合うリブの高さが互いに異なり、かつ該ドーム形状部分において高い方のリブの高さが前記円錐形状部分のリブの高さと同じであることを特徴とする。
【００１０】
この発明においては、前記ドーム形状部分の頂部における前記各リブが前記円錐形状部分における前記各リブより厚いことが好ましい。
【００１１】
この発明においては、前記ドーム形状部分において低い方のリブは、該ドーム形状部分の頂部の手前で消滅することが好ましい。
【００１２】
この発明においては、前記ドーム形状部分におけるリブの高さが前記円錐形状部分のリブの高さと同じである第１リブと、前記ドーム形状部分におけるリブの高さが前記第１リブより低い第２リブと、前記ドーム形状部分におけるリブの高さが前記第２リブよりさらに低い第３リブを有し、前記第１リブ、第３リブ、第２リブ、第３リブの順に、キウイの回転方向に並べて配列されていることが好ましい。
【００１３】
この発明においては、前記第１リブと前記第２リブとは、前記ドーム形状部分の頂部において互いに結合され、前記第３リブは、前記円錐形状部分から前記頂部に向かって低くなり、該頂部の手前で消滅することが好ましい。
【００１４】
この発明においては、前記突起部は、隣り合うリブの中間部において、前記ドーム形状部分から前記円錐形状部分にかけて、谷状に形成されていることが好ましい。
【発明の効果】
【００１５】
本発明のキウイ絞り器によれば、円錐形状部分のリブと、ドーム形状部分において高い方のリブによって効率よくキウイの果肉を掻き出すことができ、調理時間の短縮を図ると共に、調理の楽しさを提供することができる。また、ドーム形状部分における低い方のリブによって、キウイの繊維によるリブの目詰まりを抑制することができる。その結果、調理時間のさらなる短縮と、使用後の絞り器の洗浄の手間を低減することができる。
【００１６】
また、ドーム形状部分の頂部における各リブが円錐形状部分における各リブより厚い構成によれば、キウイの果肉に対するドーム形状部分各リブの押圧力を低減することができる。これにより、キウイの果肉に対する各リブの咬み込み具合の適正化を図ることができ、特に絞り作業の初期段階におけるフィーリングの向上を図ることができ、絞り作業を容易にすることができる。
【００１７】
また、ドーム形状部分において低い方のリブは、ドーム形状部分の頂部の手前で消滅する構成によれば、頂部において交差するリブの個数を少なくすることができる。これにより、頂部におけるキウイの繊維によるリブの目詰まりをより一層抑制でき、調理時間のさらなる短縮と、使用後の絞り器の洗浄の手間をより一層低減できる。
【００１８】
また、ドーム形状部分におけるリブの高さが順次低くなる第１リブ、第２リブ、第３リブを有し、第１リブ、第３リブ、第２リブ、第３リブの順に、キウイの回転方向に並べて配列されている構成によれば、第１リブ又は第２リブの両隣に、ドーム形状部分における高さが最も低い第３リブが設けられることになる。これにより、３種のリブで絞り効率の向上を図りつつ、ドーム形状部分の頂部におけるキウイの繊維によるリブの目詰まりをより一層抑制でき、調理時間のさらなる短縮と、使用後の絞り器の洗浄の手間をより一層低減できる。
【００１９】
また、第３リブが、円錐形状部分から前記頂部に向かって低くなり、頂部の手前で消滅する構成によれば、頂部におけるキウイの繊維によるリブの目詰まりをより一層抑制でき、調理時間のさらなる短縮と、使用後の絞り器の洗浄の手間をより一層低減できる。
【００２０】
また、突起部は、隣り合うリブの中間部において、ドーム形状部分から円錐形状部分にかけて、谷状に形成されている構成によれば、リブによって掻き出されたキウイの果肉が谷状の中間部に沿って流れ落ち易くなる。その結果、掻き出されたキウイの果肉がドーム形状部分に留まることが抑制され、頂部におけるキウイの外皮の破れを防止することができる。
【図面の簡単な説明】
【００２１】
【図１】本発明の一実施形態に係るキウイ絞り器の斜視図。
【図２】上記キウイ絞り器の平面図。
【図３】図２のＡ−Ａ’線断面図。
【図４】上記キウイ絞り器の底面図。
【図５】上記キウイ絞り器を使用したキウイ絞り出し作業の開始時の様子を示す写真。
【図６】上記キウイ絞り出し作業によりキウイが絞り出され始めたときの様子を示す写真。
【図７】上記キウイ絞り出し作業によりキウイが次々と絞り出される様子を示す写真。
【図８】上記キウイ絞り出し作業の終了後の様子を示す写真。
【図９】上記実施形態に係るキウイ絞り器のさらに詳細な構成を説明するための斜視図。
【図１０】上記実施形態に係るキウイ絞り器の第１変形例を示す平面図。
【図１１】上記実施形態に係るキウイ絞り器の第２変形例を示す斜視図。
【図１２】上記実施形態に係るキウイ絞り器の第３変形例を示す平面図。
【図１３】上記実施形態に係るキウイ絞り器の第４変形例を示す平面図。
【図１４】上記実施形態に係るキウイ絞り器の第５変形例を示す平面図。
【図１５】従来の絞り器の斜視図。
【発明を実施するための形態】
【００２２】
本発明の一実施形態に係るキウイ絞り器について図面を参照して説明する。図１〜図４は、本実施形態のキウイ絞り器の構成を示す。このキウイ絞り器１は、キウイの切断面が押し当てられて回転させられるときにキウイから果肉及び果汁を絞り出す突起部２と、突起部２により絞り出された果肉及び果汁を受ける受け皿３とを備える。突起部２は、ドーム形状部分２１と、そのドーム形状部分２１の裾部２１ａから拡径されて円錐状とされた円錐形状部分２２とにより構成される。突起部２は、突起部２の外面に６本のリブ２３を有する。これらのリブ２３は、ドーム形状部分２１の頂部２１ｂから裾部２１ａ、さらに円錐形状部分２２に放射状に延びており、各リブ２３は、リブ２３の延伸方向に直交する断面形状が矩形である。６本のリブ２３のうち、隣り合うリブ２３は、ドーム形状部分２１において高さが互いに異なる。
【００２３】
突起部２と受け皿３とは一体に形成されており、突起部２は受け皿３の上底面の略中心から隆起している。突起部２及び受け皿３の材料は樹脂等である。ドーム形状部分２１は、キウイの果梗部又は果頂部及びその周囲部分の外形に対応して、略半球状であってもよいし、平面視で略真円状であり、かつ、側面視で略半楕円状であってもよい。ドーム形状部分２１は、略半球状の場合、その半径が例えば略１６［ｍｍ］であるが、これに限定されない。ドーム形状部分２１及び円錐形状部分２２において、リブ２３が形成されていない部分の外面は、外側に湾曲し、かつ、滑り抵抗の少ない滑らかな曲面２１ｃ、２２ａである。曲面２１ｃはなだらかに傾斜している。
【００２４】
各リブ２３は、頂部２１ｂにおいて繋がっており、隣り合うリブが挟む角度は互いに等しい。また、各リブ２３は、ドーム形状部分２１における高さに、交互に高低が付けられている。すなわち、リブ２３には、ドーム形状部分２１における高さが高いものと低いものとが有り、高い方のリブ２３をリブ２３ａとし、低い方のリブ２３をリブ２３ｂとすると、リブ２３ａ、２３ｂは交互に配置されている。
【００２５】
各リブ２３ａ、２３ｂは、ドーム形状部分２１における高さが例えば略１［ｍｍ］から略４［ｍｍ］までの範囲内にあり、それらの高さは、それぞれ、略３［ｍｍ］、略２［ｍｍ］であることが望ましい。各リブ２３ａ、２３ｂの厚みは例えば略１［ｍｍ］である。受け皿３の下底面には、滑り止め部材３１が、円周上に等間隔に３個、配置されている（図４参照）。
【００２６】
次に、図５〜図８を参照して、キウイ絞り器１の使用例を説明する。キウイをその果心に略直交するように輪切りにし、図５に示すように、そのキウイＫ１の切断面を、突起部２にその上方から押し付けると、ドーム形状部分２１のリブ２３が果肉に突き刺さり、咬み込まれる。この状態で、キウイを回転させると、リブ２３が果肉を削り、図６に示すように、果肉Ｆ１と果汁Ｆ２とが絞り出されて、曲面２１ｃ（不図示）及び曲面２２ａ上をスムーズに滑り落ちる。キウイＫ１を押し付けて回転させ続けると、図７に示すように、突起部２は徐々にキウイＫ１に入り込み、リブ２３により次々と果肉Ｆ１と果汁Ｆ２とが絞り出される。図８に示すように、絞り出された果肉Ｆ１と果汁Ｆ２とは受け皿３に溜まる。
【００２７】
上記のように構成されたキウイ絞り器１においては、リブ２３の断面形状は矩形であるので、キウイＫ１を突起部２に押し当てて回転させたときにリブ２３が咬み込み易く、従って、キウイＫ１を回転させたときに果肉Ｆ１がリブ２３に引っ掛かり易くなる。そのため、リブ２３において果肉Ｆ１を十分に削り出すのに必要とされる高さが低くて済み、結果として、キウイＫ１回転時の回転抵抗を抑えることができ、回転に必要な力が弱くなる。また、その弱い力でも果肉Ｆ１を削り出すことができ、従って、果肉Ｆ１及び果汁Ｆ２を効率良く絞り出すことができる。そのため、強い力でキウイＫ１を押し付ける必要はなくなり、果肉Ｆ１の押し潰しを防ぐことができ、これにより、その押し潰しに起因する果肉Ｆ１と果汁Ｆ２との分離を防ぐことができる。
【００２８】
また、リブ２３間に在る曲面２１ｃ、２２ａは外側に湾曲しているので、果肉Ｆ１がリブ２３間に溜まり難くなり、従って、溜まった果肉が外皮を内側から押して破裂させることを防ぐことができる。また、突起部２はキウイＫ１に適合した形状であるので、果肉Ｆ１の絞り残しを減らすことができる。
【００２９】
また、隣り合うリブ２３の、頂部２１ｂにおける高さが互いに同じ場合には、リブ２３により削られて延びた果心等の繊維を隣のリブ２３により切ることが難しく、繊維が複数のリブを跨いで、目詰まりすることがある。これに対して、本実施形態のキウイ絞り器１においては、上記の高さが異なるので、低いリブ２３ｂを乗り越えた繊維は、隣の高いリブ２３ａにより確実に切り取ることができ、従って、繊維が複数のリブ２３を跨ぐことはなくなる。そのため、繊維による目詰まりを抑制することができる。その結果、目詰まりした繊維を取り出す手間を省くことができ、従って、使用後の洗浄の手間を減らすことができる。
【００３０】
また、キウイＫ１を押し当てて回転させたとき、リブ２３が低過ぎると、リブ２３が果肉Ｆ１に引っ掛かり難いのでキウイＫ１が滑り易く、そのため、キウイＫ１を絞り出し辛い。他方、リブ２３が高過ぎると、回転抵抗が増えて回転させ難く、従って、キウイＫ１を絞り出し難い。これに対して、本実施形態においては、リブ２３の高さが適当なので、キウイＫ１を回転させ易く、かつ、果肉Ｆ１を削り出し易い。
【００３１】
また、例えばリブ２３を８又は１０本設けた場合には、頂部２１ｂにおいて、リブ２３の間隔が狭くなり、その間に繊維が詰まり、従って、それらを取り出すための手間が掛かる。また、例えばリブ２３を４本設けた場合には、キウイ回転時の回転抵抗が大きくなり、かつ、リブ２３の間隔が広くなるので、リブ２３間に果肉が溜まり易くなり、果肉溜まりに起因する外皮の破れが生じる虞がある。これに対して、本実施形態のキウイ絞り器１においては、リブ２３の数は６本であり、キウイＫ１の絞り出しに適当な数なので、さらに繊維がリブ２３間に目詰まりし難くなり、キウイＫ１をさらに軽く回すことができ、外皮破れの防止効果の向上を図ることができる。
【００３２】
以下、図９を参照して、本実施形態のさらに詳細な構成について説明する。本実施形態にあっては、円錐形状部分２２において、各リブ２３の高さ２３ｃ、２３ｄが同じであると共に、ドーム形状部分２１において、隣り合うリブ２３ａ、２３ｂの高さｈ１、ｈ２が互いに異なり、かつドーム形状部分２１において高い方のリブ２３ａの高さｈ１が円錐形状部分２２のリブ２３ｃ、２３ｄの高さｈ３、ｈ４と同じである。すなわち、図９において、ｈ１＝ｈ３＝ｈ４＞ｈ２の関係を満たすように各リブ２３の高さが設定されている。なお、リブ２３の高さｈ１、ｈ３、ｈ４が同じとは、誤差なく厳密に同一である場合のみならず、公差を考慮しつつ、後述する作用効果を生ずる程度に同じであることをいう。
【００３３】
本キウイ絞り器１によれば、円錐形状部分２２のリブ２３ｃ、２３ｄと、ドーム形状部分２１において高い方のリブ２３ａによって効率よくキウイの果肉を掻き出すことができ、調理時間の短縮を図ると共に、調理の楽しさを提供することができる。また、ドーム形状部分２１における低い方のリブ２３ｂによって、キウイの繊維によるリブ２３の目詰まりを抑制することができる。その結果、調理時間のさらなる短縮と、使用後の絞り器の洗浄の手間を低減することができる。
【００３４】
（第１変形例）
図１０は、上記実施形態に係るキウイ絞り器１の変形例を示す。この変形例においては、ドーム形状部分２１の頂部２１ｂにおける各リブ２３の厚みＴ１が円錐形状部分２２における各リブ２３の厚みＴ２より大きいことを特徴とする。リブ２３の厚みは、図１０に示すように円錐形状部分２２からドーム形状部分２１の頂部２１ｂにかけて連続的に漸増する形態のみならず、段階的に増加する形態であってもよい。
【００３５】
本変形例においては、ドーム形状部分２１の頂部２１ｂにおけるリブ２３の厚みを増やすことにより、キウイの果肉に対するリブ２３の押圧力を低減することができる。これにより、キウイの果肉に対する各リブ２３の咬み込み具合の適正化を図ることができる。特に、ドーム形状部分２１の頂部２１ｂにおける各リブ２３を増厚することにより、特に絞り作業の初期段階におけるフィーリングの向上を図ることができ、絞り作業を容易にすることができる。
【００３６】
（第２変形例）
図１１は、上記実施形態に係るキウイ絞り器１の別の変形例を示す。この変形例においては、ドーム形状部分２１において低い方のリブ２３ｂは、ドーム形状部分２１の頂部２１ｂに近づくに従い連続的に低くなり、頂部２１ｂの手前で消滅する。この変形例において、リブ２３ｂは、段階的（不連続的）に低くなる形態であってもよい。なお、各リブ２３の厚みに関しては、第１変形例の特徴と組み合わせてもよい。
【００３７】
本変形例の構成によれば、頂部２１ｂにおいて交差するリブ２３の個数を少なくすることができる。これにより、頂部２１ｂにおけるキウイの繊維によるリブ２３の目詰まりをより一層抑制でき、調理時間のさらなる短縮と、使用後の絞り器の洗浄の手間をより一層低減できる。
【００３８】
（第３変形例）
図１２は、上記実施形態に係るキウイ絞り器１のさらに別の変形例を示す。この変形例は、それぞれ１対の第１リブ２３ｅ及び第２リブ２３ｆと２対の第３リブ２３ｇを有することを特徴とする。第１リブ２３ｅは、ドーム形状部分２１におけるリブの高さが円錐形状部分２２のリブの高さと同じに形成される。第２リブ２３ｆは、ドーム形状部分２１におけるリブの高さが第１リブ２３ｅより低く形成される。第３リブ２３ｇは、ドーム形状部分２１におけるリブの高さが第２リブ２３ｆよりさらに低く形成される。また、それぞれのリブは、第１リブ２３ｅ、第３リブ２３ｇ、第２リブ２３ｆ、第３リブ２３ｇの順に、キウイの回転方向に並べて配列されている。図１２に示した形態では、キウイを時計回り又は反時計回りのいずれの方向に回転させても、各リブが上記の順に並べて配列されることになる。なお、各リブ２３の厚みに関しては、第１変形例の特徴と組み合わせてもよい。
【００３９】
本変形例によれば、第１リブ２３ｅ又は第２リブ２３ｆの両隣に、ドーム形状部分２１における高さが最も低い第３リブ２３ｇが設けられることになる。これにより、３種のリブ２３ｅ、２３ｆ、２３ｇで絞り効率の向上を図りつつ、ドーム形状部分２１の頂部２１ｂにおけるキウイの繊維によるリブの目詰まりをより一層抑制でき、調理時間のさらなる短縮と、使用後の絞り器の洗浄の手間をより一層低減できる。
【００４０】
（第４変形例）
図１３は、上記実施形態に係るキウイ絞り器１のさらに別の変形例を示す。この変形例においては、第１リブ２３ｅと第２リブ２３ｆとは、ドーム形状部分２１の頂部２１ｂにおいて互いに結合される。また、第３リブ２３ｇは、円錐形状部分２２から頂部２１ｂに近づくに従い連続的に低くなり、頂部２１ｂの手前で消滅する。この変形例において、リブ２３ｂは、段階的（不連続的）に低くなる形態であってもよい。なお、各リブ２３の厚みに関しては、第１変形例の特徴と組み合わせてもよい。
【００４１】
本変形例によれば、頂部２１ｂにおいて交差するリブ２３の個数を少なくすることができる。これにより、頂部２１ｂにおけるキウイの繊維によるリブの目詰まりをより一層抑制でき、調理時間のさらなる短縮と、使用後の絞り器の洗浄の手間をより一層低減できる。
【００４２】
（第５変形例）
図１４は、上記実施形態に係るキウイ絞り器１のさらに別の変形例を示す。この変形例においては、突起部２は、隣り合うリブ２３の中間部において、ドーム形状部分２１から円錐形状部分２２にかけて、谷状に形成されている。すなわち、ドーム形状部分２１から円錐形状部分２２にかけて、谷状の凹部２４が形成されている。この変形例において、各リブ２３の形状等に関しては、第１変形例乃至第４変形例の特徴と組み合わせてもよい。
【００４３】
本変形例によれば、リブ２３によって掻き出されたキウイの果肉が中間部に形成されている谷状の凹部２４に沿って下方に流れ落ち易くなる。その結果、掻き出されたキウイの果肉がドーム形状部分２１に留まることが抑制され、頂部２１ｂにおけるキウイの外皮の破れを防止することができる。
【００４４】
なお、本発明は、上記の実施形態の構成に限定されるものでなく、使用目的に応じ、様々な変形が可能である。例えば、リブ２３の数は上記に限定されず、複数であればよい。
【符号の説明】
【００４５】
１  キウイ絞り器
２  突起部
２１  ドーム形状部分
２１ａ  裾部
２１ｂ  頂部
２２  円錐形状部分
２３、２３ａ、２３ｂ  リブ
【図１】
2012239847.tif 000003
【図２】
2012239847.tif 000004
【図３】
2012239847.tif 000005
【図４】
2012239847.tif 000006
【図９】
2012239847.tif 000007
【図１０】
2012239847.tif 000008
【図１１】
2012239847.tif 000009
【図１２】
2012239847.tif 000010
【図１３】
2012239847.tif 000011
【図１４】
2012239847.tif 000012
【図１５】
2012239847.tif 000013
【図５】
2012239847.tif 000014
【図６】
2012239847.tif 000015
【図７】
2012239847.tif 000016
【図８】
2012239847.tif 000017
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
キウイの切断面が押し当てられて回転させられるときにキウイから果肉及び果汁を絞り出す突起部を備えたキウイ絞り器であって、
前記突起部は、ドーム形状部分と、該ドーム形状部分の裾部から円錐状とされた円錐形状部分とにより構成され、かつ、該突起部の外面にドーム形状部分の頂部から裾部、さらに円錐形状部分に放射状に延びる複数のリブを有し、
前記円錐形状部分において、各リブの高さが同じであって、
前記ドーム形状部分におけるリブの高さが前記円錐形状部分のリブの高さと同じである第１リブと、前記ドーム形状部分におけるリブの高さが前記第１リブより低い第２リブと、前記ドーム形状部分におけるリブの高さが前記第２リブよりさらに低い第３リブを有し、  前記第１リブ、第３リブ、第２リブ、第３リブの順に、キウイの回転方向に並べて配列されていることを特徴とするキウイ絞り器。
【請求項２】
前記第１リブと前記第２リブとは、前記ドーム形状部分の頂部において互いに結合され、
前記第３リブは、前記円錐形状部分から前記頂部に向かって低くなり、該頂部の手前で消滅することを特徴とする請求項１に記載のキウイ絞り器。
【請求項３】
前記突起部は、隣り合うリブの中間部において、前記ドーム形状部分から前記円錐形状部分にかけて、谷状に形成されていることを特徴とする請求項１又は請求項２に記載のキウイ絞り器。